(57)【要約】【課題】熱による粘度上昇、湿気による硬化反応を溶融、タンク供給時に防止することが可能で、且つ安定した連続塗布を可能にして安定生産に寄与できる。【解決手段】加熱されて溶融状態となる固体状態のホットメルト接着剤21を溶融し、塗布ヘッド70に送液するホットメルト接着剤溶融送液装置1であって、固体状態のホットメルト接着剤21を防湿袋90に入れた状態で加熱して溶融状態にする加熱溶融部3と、溶融状態のホットメルト接着剤21を収納する防湿袋90を防湿袋装填部材40にセットする防湿袋セット部4と、防湿袋セット部4でセットされた防湿袋90を開封し溶融状態のホットメルト接着剤21を供給する接着剤供給部5と、接着剤供給部5から供給されたホットメルト接着剤21を保温しながら貯留する保温タンク部6と、保温タンク部6に貯留するホットメルト接着剤21を塗布ヘッドに供給する供給手段7とを備える。【選択図】図２
2007000685.tif 000002
【特許請求の範囲】
【請求項１】
加熱されて溶融状態となる固体状態のホットメルト接着剤を溶融し、塗布ヘッドに送液するホットメルト接着剤溶融送液装置であって、
前記固体状態のホットメルト接着剤を防湿袋に入れた状態で加熱して溶融状態にする加熱溶融部と、
前記溶融状態のホットメルト接着剤を収納する前記防湿袋を防湿袋装填部材にセットする防湿袋セット部と、
前記防湿袋セット部でセットされた前記防湿袋を開封し前記溶融状態のホットメルト接着剤を供給する接着剤供給部と
前記接着剤供給部から供給されたホットメルト接着剤を保温しながら貯留する保温タンク部と、
前記保温タンク部に貯留する前記ホットメルト接着剤を塗布ヘッドに供給する供給手段と、
を備えることを特徴とするホットメルト接着剤溶融送液装置。
【請求項２】
前記接着剤供給部は、前記溶融状態のホットメルト接着剤を前記防湿袋から取り出した後の前記ホットメルト接着剤の糸引き処理をする糸引き処理手段を備えることを特徴とする請求項１に記載のホットメルト接着剤溶融送液装置。
【請求項３】
前記接着剤供給部は、前記防湿袋から前記溶融状態のホットメルト接着剤を前記保温タンク部に供給するガイド部材を備えることを特徴とする請求項１に記載のホットメルト接着剤溶融送液装置。
【請求項４】
前記接着剤供給部は、前記ガイド部材を昇降させるガイド部材昇降手段を備えることを特徴とする請求項3に記載のホットメルト接着剤溶融送液装置。
【請求項５】
前記接着剤供給部は、前記防湿袋装填部材を昇降させる防湿袋装填部材昇降手段を備えることを特徴とする請求項1に記載のホットメルト接着剤溶融送液装置。
【請求項６】
前記接着剤供給部は、前記溶融状態のホットメルト接着剤を加熱する加熱手段を備えることを特徴とする請求項１乃至請求項5のいずれか１項に記載のホットメルト接着剤供給装置。
【請求項７】
前記接着剤供給部は、前記防湿袋を開封する切断手段を備えることを特徴とする請求項１乃至請求項6のいずれか１項に記載のホットメルト接着剤溶融送液装置。
【請求項８】
前記防湿袋セット部は、前記防湿袋を防湿袋装填部材に固定する防湿袋固定手段を備えることを特徴とする請求項１に記載のホットメルト接着剤溶融送液装置。
【請求項９】
前記接着剤供給部と前記保温タンク部とを密封構造とし、
前記接着剤供給部と前記保温タンク部の少なくともいずれかに、前記ホットメルト接着剤の反応を規制する脱気または気体を供給する手段を備えることを特徴とする請求項１乃
至請求項8のいずれか１項に記載のホットメルト接着剤溶融送液装置。
【請求項１０】
前記ホットメルト接着剤は、湿気反応型であることを特徴とする請求項１乃至請求項9のいずれか１項に記載のホットメルト接着剤溶融送液装置。
【請求項１１】
加熱されて溶融状態となる固体状態のホットメルト接着剤を溶融し、塗布ヘッドに送液
するホットメルト接着剤溶融送液方法であって、
前記固体状態のホットメルト接着剤を防湿袋に入れた状態で加熱して溶融状態にし、
前記溶融状態のホットメルト接着剤を収納する前記防湿袋を防湿袋装填部材にセットし、
前記セットされた前記防湿袋を開封し前記溶融状態のホットメルト接着剤を供給し、
前記供給されたホットメルト接着剤を保温しながら保温タンク部に貯留し、
前記保温タンク部に貯留する前記ホットメルト接着剤を塗布ヘッドに供給することを特徴とするホットメルト接着剤溶融送液方法。
【請求項１２】
前記溶融状態のホットメルト接着剤を前記防湿袋から取り出した後の前記ホットメルト接着剤の糸引き処理をすることを特徴とする請求項1１に記載のホットメルト接着剤溶融送液方法。
【請求項１３】
前記防湿袋から前記溶融状態のホットメルト接着剤を前記保温タンク部にガイド部材を介して供給することを特徴とする請求項1１に記載のホットメルト接着剤溶融送液方法。
【請求項１４】
前記ガイド部材を昇降させて、前記ガイド部材と前記防湿袋との距離を調整することを特徴とする請求項13に記載のホットメルト接着剤溶融送液方法。
【請求項１５】
前記防湿袋装填部材を昇降させて、前記ガイド部材と前記防湿袋との距離を調整することを特徴とする請求項13に記載のホットメルト接着剤溶融送液方法。
【請求項１６】
前記溶融状態のホットメルト接着剤を加熱して供給することを特徴とする請求項1１乃至請求項15のいずれか１項に記載のホットメルト接着剤溶融送液方法。
【請求項１７】
前記防湿袋を開封して前記溶融状態のホットメルト接着剤を供給することを特徴とする請求項1１乃至請求項16のいずれか１項に記載のホットメルト接着剤溶融送液方法。
【請求項１８】
前記防湿袋を防湿袋装填部材に固定することを特徴とする請求項1１に記載のホットメルト接着剤溶融送液方法。
【請求項１９】
前記接着剤供給部と前記保温タンク部とを密封構造とし、
前記接着剤供給部と前記保温タンク部の少なくともいずれかに、前記ホットメルト接着剤の反応を規制する脱気または気体を供給することを特徴とする請求項1１乃至請求項18のいずれか１項に記載のホットメルト接着剤溶融送液方法。
【請求項２０】
前記ホットメルト接着剤は、湿気反応型であることを特徴とする請求項1１乃至請求項19のいずれか１項に記載のホットメルト接着剤溶融送液方法。
【発明の詳細な説明】
【技術分野】
【０００１】
この発明は、固体状態のホットメルト接着剤を溶融し、塗布ヘッドに送液するホットメルト接着剤溶融送液装置及びホットメルト接着剤溶融送液方法に関するものである。
【背景技術】
【０００２】
従来より、自動車、繊維、建材、カード等の製造においてホットメルト接着剤が用いられ、このホットメルト接着剤は、ホットメルト接着剤を固体状態から溶融して液体状態に変換して使用される。このホットメルト接着剤の溶融は、例えば溶解タンクに投入したホットメルト接着剤をヒータで加熱して溶融し、塗布ヘッドへ供給する装置がある（例えば特許文献１）。
【特許文献１】特開平１０−３２８６０７号公報（第１頁〜第７頁、図１〜図１０）
【発明の開示】
【発明が解決しようとする課題】
【０００３】
このように、溶解タンクに投入したホットメルト接着剤をヒータにより加熱して溶融し、塗布ヘッドへ供給する装置では、タンク内に滞留するホットメルト接着剤が熱による粘度上昇やタンクに付着したホットメルト接着剤が湿気反応により固まり、このホットメルト接着剤が供給されると塗布ヘッドに詰まる問題があり、安定した塗布ができず、不良発生による塗布品質への影響が大きかった。
【０００４】
この発明は、かかる点に鑑みてなされたもので、熱による粘度上昇、湿気による硬化反応を溶融、タンク供給時に防止することが可能で、且つ安定した連続塗布を可能にして安定生産に寄与できるホットメルト接着剤溶融送液装置及びホットメルト接着剤溶融送液方法を提供することを目的としている。
【課題を解決するための手段】
【０００５】
前記課題を解決し、かつ目的を達成するために、この発明は、以下のように構成した。
【０００６】
請求項１に記載の発明は、加熱されて溶融状態となる固体状態のホットメルト接着剤を溶融し、塗布ヘッドに送液するホットメルト接着剤溶融送液装置であって、
前記固体状態のホットメルト接着剤を防湿袋に入れた状態で加熱して溶融状態にする加熱溶融部と、
前記溶融状態のホットメルト接着剤を収納する前記防湿袋を防湿袋装填部材にセットする防湿袋セット部と、
前記防湿袋セット部でセットされた前記防湿袋を開封し前記溶融状態のホットメルト接着剤を供給する接着剤供給部と
前記接着剤供給部から供給されたホットメルト接着剤を保温しながら貯留する保温タンク部と、
前記保温タンク部に貯留する前記ホットメルト接着剤を塗布ヘッドに供給する供給手段と、
を備えることを特徴とするホットメルト接着剤溶融送液装置である。
【０００７】
請求項2に記載の発明は、前記接着剤供給部は、前記溶融状態のホットメルト接着剤を前記防湿袋から取り出した後の前記ホットメルト接着剤の糸引き処理をする糸引き処理手段を備えることを特徴とする請求項１に記載のホットメルト接着剤溶融送液装置である。
【０００８】
請求項3に記載の発明は、前記接着剤供給部は、前記防湿袋から前記溶融状態のホットメルト接着剤を前記保温タンク部に供給するガイド部材を備えることを特徴とする請求項１に記載のホットメルト接着剤溶融送液装置である。
【０００９】
請求項4に記載の発明は、前記接着剤供給部は、前記ガイド部材を昇降させるガイド部材昇降手段を備えることを特徴とする請求項3に記載のホットメルト接着剤溶融送液装置である。
【００１０】
請求項5に記載の発明は、前記接着剤供給部は、前記防湿袋装填部材を昇降させる防湿袋装填部材昇降手段を備えることを特徴とする請求項1に記載のホットメルト接着剤溶融送液装置である。
【００１１】
請求項6に記載の発明は、前記接着剤供給部は、前記溶融状態のホットメルト接着剤を加熱する加熱手段を備えることを特徴とする請求項１乃至請求項5のいずれか１項に記載のホットメルト接着剤供給装置である。
【００１２】
請求項7に記載の発明は、前記接着剤供給部は、前記防湿袋を開封する切断手段を備えることを特徴とする請求項１乃至請求項6のいずれか１項に記載のホットメルト接着剤溶融送液装置である。
【００１３】
請求項8に記載の発明は、前記防湿袋セット部は、前記防湿袋を防湿袋装填部材に固定する防湿袋固定手段を備えることを特徴とする請求項１に記載のホットメルト接着剤溶融送液装置である。
【００１４】
請求項9に記載の発明は、前記接着剤供給部と前記保温タンク部とを密封構造とし、
前記接着剤供給部と前記保温タンク部の少なくともいずれかに、前記ホットメルト接着剤の反応を規制する脱気または気体を供給する手段を備えることを特徴とする請求項１乃
至請求項8のいずれか１項に記載のホットメルト接着剤溶融送液装置である。
【００１５】
請求項10に記載の発明は、前記ホットメルト接着剤は、湿気反応型であることを特徴とする請求項１乃至請求項9のいずれか１項に記載のホットメルト接着剤溶融送液装置である。
【００１６】
請求項11に記載の発明は、加熱されて溶融状態となる固体状態のホットメルト接着剤を溶融し、塗布ヘッドに送液するホットメルト接着剤溶融送液方法であって、
前記固体状態のホットメルト接着剤を防湿袋に入れた状態で加熱して溶融状態にし、
前記溶融状態のホットメルト接着剤を収納する前記防湿袋を防湿袋装填部材にセットし、
前記セットされた前記防湿袋を開封し前記溶融状態のホットメルト接着剤を供給し、
前記供給されたホットメルト接着剤を保温しながら保温タンク部に貯留し、
前記保温タンク部に貯留する前記ホットメルト接着剤を塗布ヘッドに供給することを特徴とするホットメルト接着剤溶融送液方法である。
【００１７】
請求項12に記載の発明は、前記溶融状態のホットメルト接着剤を前記防湿袋から取り出した後の前記ホットメルト接着剤の糸引き処理をすることを特徴とする請求項1１に記載のホットメルト接着剤溶融送液方法である。
【００１８】
請求項13に記載の発明は、前記防湿袋から前記溶融状態のホットメルト接着剤を前記保温タンク部にガイド部材を介して供給することを特徴とする請求項1１に記載のホットメルト接着剤溶融送液方法である。
【００１９】
請求項14に記載の発明は、前記ガイド部材を昇降させて、前記ガイド部材と前記防湿袋との距離を調整することを特徴とする請求項13に記載のホットメルト接着剤溶融送液方法である。
【００２０】
請求項15に記載の発明は、前記防湿袋装填部材を昇降させて、前記ガイド部材と前記防湿袋との距離を調整することを特徴とする請求項13に記載のホットメルト接着剤溶融送液方法である。
【００２１】
請求項16に記載の発明は、前記溶融状態のホットメルト接着剤を加熱して供給することを特徴とする請求項1１乃至請求項15のいずれか１項に記載のホットメルト接着剤溶融送液方法である。
【００２２】
請求項17に記載の発明は、前記防湿袋を開封して前記溶融状態のホットメルト接着剤を供給することを特徴とする請求項1１乃至請求項16のいずれか１項に記載のホットメルト接着剤溶融送液方法である。
【００２３】
請求項18に記載の発明は、前記防湿袋を防湿袋装填部材に固定することを特徴とする請求項1１に記載のホットメルト接着剤溶融送液方法である。
【００２４】
請求項19に記載の発明は、前記接着剤供給部と前記保温タンク部とを密封構造とし、
前記接着剤供給部と前記保温タンク部の少なくともいずれかに、前記ホットメルト接着剤の反応を規制する脱気または気体を供給することを特徴とする請求項1１乃至請求項18のいずれか１項に記載のホットメルト接着剤溶融送液方法である。
【００２５】
請求項20に記載の発明は、前記ホットメルト接着剤は、湿気反応型であることを特徴とする請求項1１乃至請求項19のいずれか１項に記載のホットメルト接着剤溶融送液方法である。
【発明の効果】
【００２６】
前記構成により、この発明は、以下のような効果を有する。
【００２７】
請求項１及び請求項11に記載の発明によれば、固体状態のホットメルト接着剤を防湿袋に入れた状態で加熱して溶融状態にし、溶融状態のホットメルト接着剤を収納する防湿袋を防湿袋装填部材にセットし、セットされた防湿袋を開封し溶融状態のホットメルト接着剤を供給し、供給されたホットメルト接着剤を保温しながら保温タンク部に貯留し、保温タンク部に貯留するホットメルト接着剤を塗布ヘッドに供給する。防湿袋に入れた固体状態のホットメルト接着剤を事前に溶融し、保温タンク部へ供給することより連続的に塗布ヘッドへ送液することができる。これにより、接着剤の粘度上昇及び湿気による反応を防止し、接着剤ロス、塗布不良が減少し、生産性の良いホットメルト接着剤の供給が可能である。
【００２８】
請求項２及び請求項１2に記載の発明によれば、溶融状態のホットメルト接着剤を防湿袋から取り出した後のホットメルト接着剤の糸引き処理をし、ホットメルト接着剤の垂れ残りである糸引きを早期に回収することができ、かつ接着剤供給部内の汚れを防止することが可能となる。
【００２９】
請求項３及び請求項１3に記載の発明によれば、防湿袋から溶融状態のホットメルト接着剤がガイド部材によって案内されて保温タンク部に円滑に供給され、ホットメルト接着剤のタンクへの流れの乱れを抑制することが可能となる。また、ホットメルト接着剤の飛散やホットメルト接着剤に空気が混入することが防止される。
【００３０】
請求項４及び請求項１4に記載の発明によれば、ガイド部材を昇降させて、ガイド部材と防湿袋との距離を調整することで、ホットメルト接着剤のタンクへの流れの乱れを抑制することが可能となる。また、ホットメルト接着剤の飛散やホットメルト接着剤に空気が混入することが防止される。
【００３１】
請求項5及び請求項１5に記載の発明によれば、防湿袋装填部材を昇降させて、ガイド部材と防湿袋との距離を調整することで、ホットメルト接着剤のタンクへの流れの乱れを抑制することが可能となる。また、ホットメルト接着剤の飛散やホットメルト接着剤に空気が混入することが防止される。
【００３２】
請求項6及び請求項１6に記載の発明によれば、溶融状態のホットメルト接着剤を加熱して供給することで、ホットメルト接着剤の温度を安定させ、冷却を防止し、又は、防湿袋からのホットメルト接着剤の押し出しが良く、供給するホットメルト接着剤の流れをスムーズにすることが可能となる。
【００３３】
請求項7及び請求項１7に記載の発明によれば、防湿袋を開封して溶融状態のホットメルト接着剤を供給することで、早期に安定してホットメルト接着剤を連続で供給することができ、ロス無く生産に寄与できる。
【００３４】
請求項8及び請求項１8に記載の発明によれば、防湿袋を防湿袋装填部材に固定することで、防湿袋からホットメルト接着剤を確実に供給することができる。
【００３５】
請求項9及び請求項１9に記載の発明によれば、接着剤供給部と保温タンク部とを密封構造とし、接着剤供給部と保温タンク部の少なくともいずれかに、ホットメルト接着剤の反応を規制する脱気または気体を供給することで、湿気によるホットメルト接着剤の硬化を防止し、且つ安定してホットメルト接着剤を連続に供給することを可能にし、ロス無く生産に寄与できる。
請求項10及び請求項20に記載の発明によれば、ホットメルト接着剤は、湿気反応型である。
【発明を実施するための最良の形態】
【００３６】
以下、この発明のホットメルト接着剤溶融送液装置及びホットメルト接着剤溶融送液方法の実施の形態について説明する。この発明の実施の形態は、発明の最も好ましい形態を示すものであり、この発明はこれに限定されない。
【００３７】
図1は固体状態のホットメルト接着剤を収納した斜視図である。
【００３８】
この実施の形態の防湿袋90は、底部90a、4つの側部90b、上部90cからなるスタンディングパウチであり、上部90cにセット孔91が設けられている。この防湿袋90は、底部90aを下にして置き直立状態にでき取り扱いが容易である。また、防湿袋90は、上部90ｃを持って持ち上げて移動し、セット孔91をセットに用いることができる。この実施の形態では、防湿袋90の例としてスタンディングパウチを示しているが、三方シール形状等の袋を用いてもよい。
【００３９】
この防湿袋90には、固体状態のホットメルト接着剤21が収納される。このホットメルト接着剤は、湿気反応型であり、防湿袋90は湿気によるホットメルト接着剤の硬化を防止するために防湿性を有する。また、この防湿袋90は、加熱することでホットメルト接着剤21を固体状態から溶融して液体状態に変換して使用されるために耐熱性を有する。
【００４０】
図2はホットメルト接着剤溶融送液装置及びホットメルト接着剤溶融送液方法を示す図である。
【００４１】
この実施の形態のホットメルト接着剤溶融送液装置及びホットメルト接着剤溶融送液方法は、自動車、繊維、建材、カード等の製造において用いられ、ホットメルト接着剤を固体状態から溶融して液体状態に変換して使用される。
【００４２】
このホットメルト接着剤溶融送液装置１の装置本体２には、加熱溶融部３と、防湿袋セット部4と、接着剤供給部5と、保温タンク部6と、供給手段７とが備えられている。
【００４３】
加熱溶融部３には、加熱手段３0と移動手段３1が備えられている。加熱手段３0はヒータなどで構成され、加熱溶融部３の底部に配置されている。移動手段３1は無端チェーン３1ａと、無端チェーン３1ａに設けられた複数個の係止具３1ｂを有している。固体状態のホットメルト接着剤２1を防湿袋9０に入れた状態で加熱溶融部３に供給し、防湿袋9０のセット孔91に係止具３1ｂを掛けて吊し、無端チェーン３1ａの駆動により防湿袋セット部4の方向へ移動する。この加熱溶融部３では、加熱手段３0により固体状態のホットメルト接着剤２１を防湿袋9０に入れた状態で加熱溶融する。
【００４４】
防湿袋セット部4には、防湿袋装填部材４０が備えられている。この防湿袋装填部材４０にはヒータなどの加熱手段４０ａが設けられ、さらに係止具40ｂが設けられている。防湿袋装填部材４０は回転軸４１を支点に傾倒可能であり、倒した状態で係止具40ｂに防湿袋9０のセット孔91を掛けて防湿袋9０を置き、ホットメルト接着剤２１を防湿袋9０に入れた状態で加熱手段４０ａによって加熱し、接着剤供給部5への供給を待っている。
【００４５】
防湿袋90を接着剤供給部５に供給するときには、防湿袋装填部材４０が回転軸４１を支点に接着剤供給部5に向かって起き上がり、溶融状態のホットメルト接着剤21を収納する防湿袋90を接着剤供給部5に移動してセットする。係止具40ｂが防湿袋90を防湿袋装填部材40に固定する防湿袋固定手段を構成し、この防湿袋固定手段は防湿袋装填部材４０を傾倒するときに防湿袋90が落下しないようにするものであればよい。防湿袋90を防湿袋装填部材40に固定することで、防湿袋90からホットメルト接着剤21を確実に供給することができる。
【００４６】
接着剤供給部5は、密封構造であり、防湿袋セット部4でセットされた防湿袋90を開封し溶融状態のホットメルト接着剤21を供給する。防湿袋セット部4から防湿袋90が供給されるときに供給装置カバー５０が開き、また防湿袋90から溶融状態のホットメルト接着剤21を保温タンク部６に供給するときに接着剤供給カバー５１が開く。
【００４７】
接着剤供給部5には、防湿袋セット装置52、カット装置５3、接着剤絞り出し装置５4、糸引き処理装置５５が配置されている。防湿袋セット装置52は、防湿袋装填部材40を昇降させる防湿袋装填部材昇降手段52ａを備えている。防湿袋装填部材昇降手段52ａは、例えばシリンダなどで構成され、防湿袋装填部材40を上昇位置にして防湿袋90をセットし、防湿袋装填部材40を下降位置にして防湿袋90から溶融状態のホットメルト接着剤21を取り出し可能にする。
【００４８】
カット装置５3が防湿袋90を開封する切断手段であり、例えばてナイフ、ハサミ、超音波カッタ、ロータリカッタなどで構成され、吊るした状態の防湿袋90の下部取り出し口を切断し、溶融状態のホットメルト接着剤21を取り出し可能にする。防湿袋90を開封して溶融状態のホットメルト接着剤21を供給することで、早期に安定してホットメルト接着剤21を連続で供給することができ、ロス無く生産に寄与できる。
【００４９】
接着剤絞り出し装置５4は、ヒートしごきローラ５４ａを有し、このヒートしごきローラ５４ａにより上方から下方に向けてしごき、防湿袋9０に入れた溶融状態のホットメルト接着剤21を取り出し、保温タンク部6に供給する。糸引き処理装置５５は、例えば歯つきローラなどで構成され、溶融状態のホットメルト接着剤21を防湿袋90から取り出した後のホットメルト接着剤21を掻き落とし、防湿袋90をからめ巻き取って糸引き処理をする。この糸引き処理装置５５が糸引き処理手段を構成する。さらに、例えばホットメルト接着剤の粘度が高い場合や短時間に取り出したい場合、防湿袋90をシゴク、押す、つぶす、ねじる、先端部から巻き搾り出す等により円滑かつ短時間に取り出すことができる。
【００５０】
また、接着剤供給部5には、防湿袋90から溶融状態のホットメルト接着剤21を保温タンク部に供給するガイド部材56が備えられている。ガイド部材56は、例えば樹脂や金属の板状部材で構成され、保温タンク部6の上方位置に斜めに傾斜させて配置されている。防湿袋9０から取り出した溶融状態のホットメルト接着剤21はガイド部材56の上を流れて、保温タンク部6のタンク壁面に導かれる。
【００５１】
ガイド部材56には溶融状態のホットメルト接着剤を加熱する加熱手段５７が設けられ、この加熱手段５７は例えばヒータで構成される。
【００５２】
また、接着剤供給部5には、ガイド部材56を昇降させるガイド部材昇降手段５８が備えられ、このガイド部材昇降手段５８は例えばシリンダなどで構成される。このガイド部材昇降手段５８によりガイド部材56を昇降させて、ガイド部材56と防湿袋90の下部との距離Ｄを調整する。このように、ガイド部材56と防湿袋90との距離を調整することで、ホットメルト接着剤21のタンクへの流れの乱れを抑制することが可能となる。また、ホットメルト接着剤21の飛散やホットメルト接着剤21に空気が混入することが防止される。
【００５３】
保温タンク部6は、タンク部6１を有し、このタンク部6１に接着剤供給部5から供給されたホットメルト接着剤21を保温しながら貯留する。この実施の形態では、タンク部6１にヒータ61ａが設けられ、タンク部6１に貯留する溶融状態のホットメルト接着剤２１をヒータ61ａによって加熱する。保温タンク部6でさらに溶融状態のホットメルト接着剤２１の溶融温度を上昇可能にすることにより、ホットメルト接着剤２１への熱負荷を制御し粘度上昇を防止することができる。保温タンク部6に貯留するホットメルト接着剤２１の残量を検知する残量検知センサ６５を備え、所定の残量になると残量検知センサ６５からの情報に基づき、制御手段66は接着剤絞り出し装置５4を駆動してホットメルト接着剤２１を供給する。
【００５４】
制御手段66は、例えばマイクロコンピュータなどで構成され、接着剤絞り出し装置５4の駆動や制御のほかに加熱溶融部３、防湿袋セット部4、接着剤供給部5、保温タンク部6、供給手段７などの全体の制御を行う。
【００５５】
供給手段７は、タンク部6１に貯留するホットメルト接着剤２１を塗布ヘッド７０へ供給するホース７１と、このホース７１に備えられる供給ポンプ７２とを有し、溶融状態となったホットメルト接着剤２１を塗布ヘッド７０に供給する。タンク部6１と供給ポンプ７２との間には、フィルタ７３が配置され、さらに供給ポンプ７２と塗布ヘッド７０との間には、温度安定部７４、フィルタ７５が順に配置されている。
【００５６】
ホース７１の途中に配置されるフィルタ７３，７５は、溶融状態となったホットメルト接着剤２１に混入する不純物を除去し、高品質のホットメルト接着剤２１を塗布ヘッド７０へ供給する。また、ホース７１の途中に配置される温度安定部７４は、スタチックミキサーで構成され、溶融状態となったホットメルト接着剤２１の温度を保ち、温度を安定化する。
【００５７】
また、供給ポンプ７２の前段と、フィルタ７３の後段との間には、リターンホース８０が設けられ、このリターンホース８０にはリリーフ弁８１が配置されている。リリーフ弁81は、供給ポンプ７２が連続運転の状態で塗布ヘッド７０の塗布が停止するとホース71内の圧力が上昇するので圧力上昇を抑える。即ち、このホットメルト接着剤溶融送液装置１が間欠運転してホットメルト接着剤２１を塗布する場合に、塗布ヘッド７０の塗布が停止されることでホース７１内の圧力が上昇するとリリーフ弁８１が開いてホットメルト接着剤２１をフィルタ７３の前段へ戻してホース７１内の圧力上昇を抑える。
【００５８】
また、ホットメルト接着剤２１は、湿気反応型であり、湿気による反応を防止するように、接着剤供給部5と保温タンク部6とを密封構造とし、接着剤供給部5と保温タンク部6に、ホットメルト接着剤21の反応を規制する脱気または気体を供給する手段92を備える。脱気または気体を供給する手段９2としては、例えば真空脱気装置を用いて真空脱気を行い、また窒素ガスまたはドライエアーを供給し、熱による粘度上昇、湿気による反応を防止することが可能である。
【００５９】
次に、ホットメルト接着剤投入フローを、図３に基づいて説明する。このホットメルト接着剤溶融送液装置１では、加熱溶融部３に固体状態のホットメルト接着剤２１を防湿袋9０に入れた状態で加熱手段３0により加熱し、この加熱によって溶融状態になる（ステップＳ１）。この防湿袋9０を加熱溶融部３の移動手段３1により移動して防湿袋セット部4へセットする（ステップＳ2）。防湿袋セット部4では、溶融状態のホットメルト接着剤21を収納する防湿袋90を防湿袋装填部材４０に固定し、防湿袋装填部材４０が接着剤供給部5に向かって起き上がり、溶融状態のホットメルト接着剤21を収納する防湿袋90を接着剤供給部5にセットし、保温タンク部6の上方位置にする（ステップＳ3）。
【００６０】
次に、接着剤供給カバー５１を開き（ステップＳ4）、溶融状態のホットメルト接着剤21を収納する防湿袋90の下部を切断する（ステップＳ5）。防湿袋装填部材40を下降させ、またはガイド部材56を昇降させて、防湿袋90の下部をガイド部材56に近接させて、あるいは接触させ（ステップＳ6）、残量検知センサ６５からの情報に基づき（ステップＳ7）、制御手段66は接着剤絞り出し装置５4を駆動して防湿袋90から溶融状態のホットメルト接着剤21を絞り出す（ステップＳ8）。
【００６１】
防湿袋90から溶融状態のホットメルト接着剤21が絞り出されると、防湿袋装填部材40を上降させ、またはガイド部材56を下降させ、防湿袋90の下部をガイド部材56から離間させて（ステップＳ9）、糸引き処理装置５５により糸引き処理を行う（ステップＳ10）。防湿袋装填部材４０を接着剤供給部5から防湿袋セット部4に戻して回転軸４１を支点に回転して倒して初期位置に戻し（ステップＳ11）、糸引き処理装置５５から殻になった防湿袋90を回収する（ステップＳ12）。
【００６２】
このように、固体状態のホットメルト接着剤21を防湿袋90に入れた状態で加熱して溶融状態にし、溶融状態のホットメルト接着剤21を収納する防湿袋90を防湿袋装填部材40にセットし、セットされた防湿袋90を開封し溶融状態のホットメルト接着剤21を供給し、供給されたホットメルト接着剤21を保温しながら保温タンク部6に貯留する。
【００６３】
この保温タンク部6に貯留するホットメルト接着剤21を塗布ヘッド70に供給する。防湿袋90に入れた固体状態のホットメルト接着剤21を事前に溶融し、保温タンク部6へ供給することより連続的に塗布ヘッド70へ送液することができる。これにより、接着剤の粘度上昇及び湿気による反応を防止し、接着剤ロス、塗布不良が減少し、生産性の良いホットメルト接着剤21の供給が可能である。
【００６４】
また、溶融状態のホットメルト接着剤21を防湿袋90から取り出した後のホットメルト接着剤21の糸引き処理をし、ホットメルト接着剤21の垂れ残りである糸引きを早期に回収することができ、かつ接着剤供給部5内の汚れを防止することが可能となる。
【００６５】
防湿袋90から溶融状態のホットメルト接着剤21がガイド部材56によって案内されて保温タンク部6に円滑に供給され、ホットメルト接着剤21のタンクへの流れの乱れを抑制することが可能となる。また、ホットメルト接着剤21の飛散やホットメルト接着剤21に空気が混入することが防止される。また、溶融状態のホットメルト接着剤21を加熱して供給することで、ホットメルト接着剤21の温度を安定させ、冷却を防止し、又は、防湿袋90からのホットメルト接着剤21の押し出しが良く、供給するホットメルト接着剤21の流れをスムーズにすることが可能となる。
【００６６】
接着剤供給部5と保温タンク部6とを密封構造とし、接着剤供給部5と保温タンク部6の少なくともいずれかに、ホットメルト接着剤の反応を規制する脱気または気体を供給することで、湿気によるホットメルト接着剤の硬化を防止し、且つ安定してホットメルト接着剤21を連続に供給することを可能にし、ロス無く生産に寄与できる。
【産業上の利用可能性】
【００６７】
この発明は、固体状態のホットメルト接着剤を溶融し、塗布ヘッドに送液し、熱による粘度上昇、湿気による硬化反応を溶融、タンク供給時に防止することが可能で、且つ安定した連続塗布を可能にして安定生産に寄与できる。
【図面の簡単な説明】
【００６８】
【図１】固体状態のホットメルト接着剤を収納した斜視図である。
【図２】ホットメルト接着剤溶融送液装置及びホットメルト接着剤溶融送液方法を示す図である。
【図３】ホットメルト接着剤投入フローを示す図である。
【符号の説明】
【００６９】
1  ホットメルト接着剤供給装置
3  加熱溶融部
4  防湿袋セット部
5  接着剤供給部
6  保温タンク部
7  供給手段
21  ホットメルト接着剤
40  防湿袋装填部材
70  塗布ヘッド
90  防湿袋
【図１】
2007000685.tif 000003
【図２】
2007000685.tif 000004
【図３】
2007000685.tif 000005